(57)【要約】【課題】  マルチチャネルの音声信号を予測符号化し、圧縮率を改善した音声データを伝送する。【解決手段】  加算回路１ａはステレオ２チャネル信号Ｌ、Ｒの和信号（Ｌ＋Ｒ）を算出し、減算回路１ｂは差信号（Ｌ−Ｒ）を算出する。差分演算回路１１Ｄ１、１１Ｄ２により今回と前回の差分Δ（Ｌ＋Ｒ）、Δ（Ｌ−Ｒ）を算出し、予測符号化回路（１５Ｄ１、１５Ｄ２、１６Ｄ１、１６Ｄ２）により差分Δ（Ｌ＋Ｒ）、Δ（Ｌ−Ｒ）の複数の予測値を算し、複数の予測値と差分Δ（Ｌ＋Ｒ）、Δ（Ｌ−Ｒ）の各予測残差を算出し、最小の予測残差を選択する等して予測符号化データをパケットし、その後、所定の通信回線を通じて伝送する。【選択図】        図２
2008217038.tif 000002
【特許請求の範囲】
【請求項１】
入来する音声信号の所定サンプリング周波数に応じてサンプル数が決定され、この決定されたサンプル数で量子化された３以上のマルチチャネルの音声信号を、そのままのチャネル又は互いに相関をとったチャネル毎に、入力される音声信号に応答して先頭サンプル値を所定時間のフレーム単位で得ると共に、特性が異なる複数の線形予測方法により時間領域の過去から現在の信号の線形予測値がそれぞれ予測され、その予測される線形予測値と前記音声信号とから得られる予測残差が最小となるような線形予測方法を、前記フレームを更に分割したサブフレーム単位に選択して予測符号化するステップと、
前記ステップにより選択されたチャネル毎の予測符号化データが第１のグループのチャネルと第２のグループのチャネルに分けられて、前記第１のグループのチャネルの予測符号化データが格納される第１のビットストリーム（サブストリーム）と、前記第２のグループのチャネルの予測符号化データが格納される第２のビットストリーム（サブストリーム）とを含むサブパケットと、前記サブパケット内のデータが可変ビットレート圧縮された予測符号化データであることを示し、再生側で前記可変ビットレート圧縮に対応した伸長処理が施されるために用いられる識別子を含む同期情報部と、を有するデータ構造にフォーマット化するステップと、
からなる音声符号化方法。
【請求項２】
請求項１記載の音声符号化方法により符号化されたデータから元の３以上のマルチチャネルの音声信号を復号する音声復号方法であって、
前記データ構造をサブパケットと同期情報部に分離するステップと、 
前記同期情報部内の識別子に基づいて前記サブパケット内の量子化されたサンプル数のサブフレーム単位の予測符号化データを第１のグループのチャネルと第２のグループのチャネル別にチャネル毎に伸長するステップと、 
前記チャネル毎に伸長された音声データから元の前記複数のチャネルの音声信号を復元するステップと、
からなる音声復号方法。
【発明の詳細な説明】
【技術分野】
【０００１】
本発明は、音声信号を予測符号化して圧縮するための音声符号化方法及び音声復号方法
に関する。
【背景技術】
【０００２】
音声信号を予測符号化する方法として、本発明者は先の出願（特願平９−２８９１５９
号）において１チャネル（チャンネル）の原デジタル音声信号に対して、特性が異なる複
数の予測器により時間領域における過去の信号から現在の信号の複数の線形予測値を算出
し、原デジタル音声信号と、この複数の線形予測値から予測器毎の予測残差を算出し、こ
の複数の予測残差の最小値を選択する方法を提案している。
【発明の開示】
【発明が解決しようとする課題】
【０００３】
しかしながら、上記方法では原デジタル音声信号がサンプリング周波数＝９６ｋＨｚ、
量子化ビット数＝２０ビット程度の場合に、ある程度の圧縮効果を得ることができるが、
近年のＤＶＤオーディオディスクではこの２倍のサンプリング周波数（＝１９２ｋＨｚ）
が使用され、また、量子化ビット数も２４ビットが使用される傾向があるので、圧縮率を
改善する必要がある。また、近年のＤＶＤオーディオディスクでは、マルチチャネルが利
用され、チャネル数が最大６となるので圧縮率を改善する必要がある。
【０００４】
そこで本発明は、音声信号を予測符号化する場合に圧縮率を改善することができる音声
符号化方法及び音声復号方法を提供することを目的とする。
【課題を解決するための手段】
【０００５】
本発明は上記目的を達成するために、以下の１）及び２）手段よりなる。
すなわち、
【０００６】
１）入来する音声信号の所定サンプリング周波数に応じてサンプル数が決定され、この決定されたサンプル数で量子化された３以上のマルチチャネルの音声信号を、そのままのチャネル又は互いに相関をとったチャネル毎に、入力される音声信号に応答して先頭サンプル値を所定時間のフレーム単位で得ると共に、特性が異なる複数の線形予測方法により時間領域の過去から現在の信号の線形予測値がそれぞれ予測され、その予測される線形予測値と前記音声信号とから得られる予測残差が最小となるような線形予測方法を、前記フレームを更に分割したサブフレーム単位に選択して予測符号化するステップと、
前記ステップにより選択されたチャネル毎の予測符号化データが第１のグループのチャネルと第２のグループのチャネルに分けられて、前記第１のグループのチャネルの予測符号化データが格納される第１のビットストリーム（サブストリーム）と、前記第２のグループのチャネルの予測符号化データが格納される第２のビットストリーム（サブストリーム）とを含むサブパケットと、前記サブパケット内のデータが可変ビットレート圧縮された予測符号化データであることを示し、再生側で前記可変ビットレート圧縮に対応した伸長処理が施されるために用いられる識別子を含む同期情報部と、を有するデータ構造にフォーマット化するステップと、
からなる音声符号化方法。
２)請求項１記載の音声符号化方法により符号化されたデータから元の３以上のマルチチャネルの音声信号を復号する音声復号方法であって、
前記データ構造をサブパケットと同期情報部に分離するステップと、 
前記同期情報部内の識別子に基づいて前記サブパケット内の量子化されたサンプル数のサブフレーム単位の予測符号化データを第１のグループのチャネルと第２のグループのチャネル別にチャネル毎に伸長するステップと、 
前記チャネル毎に伸長された音声データから元の前記複数のチャネルの音声信号を復元するステップと、
からなる音声復号方法。
【発明の効果】
【０００７】
以上説明したように本発明によれば、従来以上に圧縮率を改善した音声の符号化ができ
ると共に、不都合なく音声信号を復号できる。
【発明を実施するための最良の形態】
【０００８】
以下、図面を参照して本発明の実施の形態を説明する。図１は本発明が適用される音声
符号化装置とそれに対応した音声復号装置の第１の実施形態を示すブロック図、図２は図
１のエンコーダを詳しく示すブロック図、図３は図２のマルチプレクサにより多重化され
る１フレームのフォーマットを示す説明図、図４はＤＶＤのパックのフォーマットを示す
説明図、図５はＤＶＤのオーディオパックのフォーマットを示す説明図、図６は図１のデ
コーダを詳しく示すブロック図である。
【０００９】
図１に示すチャネル相関回路Ａは加算回路１ａと減算回路１ｂを有する。加算回路１ａ
は各チャネル（以下、ch）が例えばサンプリング周波数＝１９２ｋＨｚ、量子化ビット数
＝２４ビットのステレオ２ch信号Ｌ、Ｒの和信号（Ｌ＋Ｒ）を算出して和ch用１chロスレ
ス・エンコーダ２Ｄ１に出力し、減算回路１ｂは差信号（Ｌ−Ｒ）を算出して差ch用１ch
ロスレス・エンコーダ２Ｄ２に出力する。エンコーダ２Ｄ１、２Ｄ２は図２に詳しく示す
ように、それぞれ和信号（Ｌ＋Ｒ）、差信号（Ｌ−Ｒ）の差分Δ（Ｌ＋Ｒ）、Δ（Ｌ−Ｒ
）を予測符号化して記録媒体や通信媒体を介して伝送する。
【００１０】
そして、復号側では、図６に詳しく示すようにデコーダ３Ｄ１、３Ｄ２がそれぞれ各ch
の予測符号化データを和信号（Ｌ＋Ｒ）、差信号（Ｌ−Ｒ）に復号し、次いでチャネル相
関回路Ｂがこの和信号（Ｌ＋Ｒ）、差信号（Ｌ−Ｒ）をステレオ２ch信号Ｌ、Ｒに復元す
る。
【００１１】
図２を参照してエンコーダ２Ｄ１、２Ｄ２について詳しく説明する。和信号（Ｌ＋Ｒ）
と差信号（Ｌ−Ｒ）は１フレーム毎に１フレームバッファ１０に格納される。そして、１
フレームの各サンプル値（Ｌ＋Ｒ）、（Ｌ−Ｒ）がそれぞれ差分演算回路１１Ｄ１、１１
Ｄ２に印加され、今回と前回の差分Δ（Ｌ＋Ｒ）、Δ（Ｌ−Ｒ）、すなわち差分ＰＣＭ（
ＤＰＣＭ）データが算出される。また、各フレームの先頭サンプル値（Ｌ＋Ｒ）、（Ｌ−
Ｒ）がマルチプレクサ１９に印加される。
【００１２】
差分演算回路１１Ｄ１により算出された差分Δ（Ｌ＋Ｒ）は、予測係数が異なる複数の
予測器１２ａ−１〜１２ａ−ｎと減算器１３ａ−１〜１３ａ−ｎに印加される。そして、
予測器１２ａ−１〜１２ａ−ｎではそれぞれ各予測係数に基づいて差分Δ（Ｌ＋Ｒ）の各
予測値が算出され、減算器１３ａ−１〜１３ｂ−ｎではそれぞれこの各予測値と差分Δ（
Ｌ＋Ｒ）の各予測残差が算出される。バッファ・選択器１６Ｄ１はこの複数の予測残差を
一時記憶して、選択信号生成器１７により指定されたサブフレーム毎に最小の予測残差を
選択し、パッキング回路１８に出力する。なお、このサブフレームはフレームの数十分の
１程度のサンプル長であり、一例として１フレームを８０サブフレームとする。ここで、
予測器１２ａ−１〜１２ａ−ｎと減算器１３ａ−１〜１３ａ−ｎは和信号chの予測回路１
５Ｄ１を構成し、また、この予測回路１５Ｄ１とバッファ・選択器１６Ｄ１は和信号chの
予測符号化回路を構成している。
【００１３】
同様に、差分演算回路１１Ｄ２により算出された差分Δ（Ｌ−Ｒ）は、予測係数が異な
る複数の予測器１２ｂ−１〜１２ｂ−ｎと減算器１３ｂ−１〜１３ｂ−ｎに印加される。
そして、予測器１２ｂ−１〜１２ｂ−ｎではそれぞれ各予測係数に基づいて差分Δ（Ｌ−
Ｒ）の各予測値が算出され、減算器１３ｂ−１〜１３ｂ−ｎではそれぞれこの各予測値と
差分Δ（Ｌ−Ｒ）の各予測残差が算出される。バッファ・選択器１６Ｄ２はこの複数の予
測残差を一時記憶して、選択信号生成器１７により指定されたサブフレーム毎に最小の予
測残差を選択し、パッキング回路１８に出力する。予測器１２ｂ−１〜１２ｂ−ｎと減算
器１３ｂ−１〜１３ｂ−ｎは差信号chの予測回路１５Ｄ２を構成し、また、この予測回路
１５Ｄ２とバッファ・選択器１６Ｄ２は差信号chの予測符号化回路を構成している。
【００１４】
選択信号生成器１７は予測残差のビット数フラグ（５ビット）をパッキング回路１８と
マルチプレクサ１９に対して印加し、また、予測残差が最小の予測器を示す予測器選択フ
ラグ（その数ｎが２〜９個として３ビット）をマルチプレクサ１９に対して印加する。パ
ッキング回路１８はバッファ・選択器１６Ｄ１、１６Ｄ２により選択された２ch分の予測
残差を、選択信号生成器１７により指定されたビット数フラグに基づいて指定ビット数で
パッキングする。
【００１５】
続くマルチプレクサ１９は図３に示すように１フレーム分に対して
・フレームヘッダ（４０ビット）と、
・和信号ｃｈ（Ｌ＋Ｒ）の１フレームの先頭サンプル値（２５ビット）と、
・差信号ｃｈ（Ｌ−Ｒ）の１フレームの先頭サンプル値（２５ビット）と、
・和信号ｃｈ（Ｌ＋Ｒ）のサブフレーム毎の予測器選択フラグ（３ビット×８０）と、
・差信号ｃｈ（Ｌ−Ｒ）のサブフレーム毎の予測器選択フラグ（３ビット×８０）と、
・和信号ｃｈ（Ｌ＋Ｒ）のサブフレーム毎のビット数フラグ（５ビット×８０）と、
・差信号ｃｈ（Ｌ−Ｒ）のサブフレーム毎のビット数フラグ（５ビット×８０）と、
・和信号ｃｈ（Ｌ＋Ｒ）の予測残差データ列（可変ビット数）と、
・差信号ｃｈ（Ｌ−Ｒ）の予測残差データ列（可変ビット数）とを
アクセスユニットとして多重化し、可変レートビットストリームとして出力する。上記
予測残差データ列はサブパケットを構成する。このような予測符号化によれば、原信号が
例えばサンプリング周波数＝１９２ｋＨｚ、量子化ビット数＝２４ビット、２チャネルの
場合、５９％の圧縮率を実現することができる。
【００１６】
また、この可変レートビットストリームデータをＤＶＤオーディオディスクに記録する
場合には、図４に示す圧縮ＰＣＭのオーディオ（Ａ）パックにパッキングされる。このパ
ックは２０３４バイトのユーザデータ（Ａパケット、Ｖパケット）に対して４バイトのパ
ックスタート情報と、６バイトのＳＣＲ（System Clock Reference：システム時刻基準参
照値）情報と、３バイトのMux レート（rate）情報と１バイトのスタッフィングの合計１
４バイトのパックヘッダが付加されて構成されている（１パック＝合計２０４８バイト）
。この場合、タイムスタンプであるＳＣＲ情報を、ＡＣＢユニット内の先頭パックでは「
１」として同一タイトル内で連続とすることにより同一タイトル内のＡパックの時間を管
理することができる。
【００１７】
圧縮ＰＣＭのＡパケットは図５に詳しく示すように、１７、９又は１４バイトのパケッ
トヘッダと、プライベートヘッダと、図３に示すフォーマットの１ないし２０１５バイト
のオーディオ圧縮ＰＣＭデータにより構成されている。圧縮ＰＣＭのプライベートヘッダ
は、
・１バイトのサブストリームＩＤと、
・２バイトのＵＰＣ／ＥＡＮ−ＩＳＲＣ（Universal Product Code/European Article Nu
mber-International Standard Recording Code）番号、及びＵＰＣ／ＥＡＮ−ＩＳＲＣデ
ータと、
・１バイトのプライベートヘッダ長と、
・２バイトの第１アクセスユニットポインタと、
・４バイトのオーディオデータ情報（ＡＤＩ）と、
・０〜７バイトのスタッフィングバイトとに、
より構成されている。
このように圧縮ＰＣＭのＡパケットのＡＤＩは、４バイトに選定され、通常の非圧縮の
ＰＣＭのＡパケットのＡＤＩよりも４バイトだけ短くされている。したがってオーディオ
データは４バイト分増加させることができる。
【００１８】
次に図６を参照してデコーダ３Ｄ１、３Ｄ２について説明する。図３に示したフォーマ
ットの可変レートビットストリームデータは、デマルチプレクサ２１によりフレームヘッ
ダに基づいて分離される。そして、和信号ｃｈ（Ｌ＋Ｒ）及び差信号ｃｈ（Ｌ−Ｒ）の１
フレームの先頭サンプル値はそれぞれ累積演算回路２５ａ、２５ｂに印加され、和信号ｃ
ｈ（Ｌ＋Ｒ）及び差信号ｃｈ（Ｌ−Ｒ）の予測器選択フラグはそれぞれ予測器（２４ａ−
１〜２４ａ−ｎ）、（２４ｂ−１〜２４ｂ−ｎ）の各選択信号として印加され、和信号ｃ
ｈ（Ｌ＋Ｒ）及び差信号ｃｈ（Ｌ−Ｒ）のビット数フラグと予測残差データ列はアンパッ
キング回路２２に印加される。ここで、予測器（２４ａ−１〜２４ａ−ｎ）、（２４ｂ−
１〜２４ｂ−ｎ）はそれぞれ、符号化側の予測器（１２ａ−１〜１２ａ−ｎ）、（１２ｂ
−１〜１２ｂ−ｎ）と同一の特性であり、予測器選択フラグにより同一特性のも
のが選択される。
【００１９】
アンパッキング回路２２は和信号ｃｈ（Ｌ＋Ｒ）及び差信号ｃｈ（Ｌ−Ｒ）の予測残差
データ列をビット数フラグ毎に基づいて分離してそれぞれ加算回路２３ａ、２３ｂに出力
する。加算回路２３ａ、２３ｂではそれぞれ、アンパッキング回路２２からの和信号ｃｈ
（Ｌ＋Ｒ）及び差信号ｃｈ（Ｌ−Ｒ）の今回の予測残差データと、予測器（２４ａ−１〜
２４ａ−ｎ）、（２４ｂ−１〜２４ｂ−ｎ）の内、予測器選択フラグにより選択された各
１つにより予測された前回の予測値が加算されて今回の予測値が算出される。この今回の
予測値は、図２に示す差分回路１１ａ、１１ｂによりそれぞれ算出された差分Δ（Ｌ＋Ｒ
）、Δ（Ｌ−Ｒ）すなわちＤＰＣＭデータであり、予測器（２４ａ−１〜２４ａ−ｎ）、
（２４ｂ−１〜２４ｂ−ｎ）と累積演算回路２５ａ、２５ｂに印加される。
【００２０】
累積演算回路２５ａ、２５ｂはそれぞれ、１フレームの先頭サンプル値に対して差分Δ
（Ｌ＋Ｒ）、Δ（Ｌ−Ｒ）をサンプル毎に累積加算して和信号ｃｈ（Ｌ＋Ｒ）、差信号ｃ
ｈ（Ｌ−Ｒ）の各ＰＣＭデータを出力する。この和信号（Ｌ＋Ｒ）、差信号（Ｌ−Ｒ）は
図１に示すように加算回路４ａにより２Ｌ信号が算出されるとともに、減算回路４ｂによ
り２Ｒ信号が算出される。そして、２Ｌ信号と２Ｒ信号がそれぞれ割り算器５ａ、５ｂに
より１／２に割り算され、元のステレオ２チャネル信号Ｌ、Ｒが復元される。
【００２１】
次に図７、図８を参照して第２の実施形態について説明する。上記の実施形態では、和
信号（Ｌ＋Ｒ）、差信号（Ｌ−Ｒ）の各差分Δ（Ｌ＋Ｒ）、Δ（Ｌ−Ｒ）、すなわちＤＰ
ＣＭデータのみを予測符号化するように構成されているが、この第２の実施形態では和信
号（Ｌ＋Ｒ）、差信号（Ｌ−Ｒ）すなわちＰＣＭデータ、又はその各差分Δ（Ｌ＋Ｒ）、
Δ（Ｌ−Ｒ）すなわちＤＰＣＭデータを選択的に予測符号化するように構成されている。
【００２２】
このため図７に示す符号化装置では、図２に示す構成に対して和信号（Ｌ＋Ｒ）、差信
号（Ｌ−Ｒ）をそれぞれ予測符号化するための予測回路１５Ａ、１５Ｓとバッファ・選択
器１６Ａ、１６Ｓが追加されている。また、選択信号生成器１７はバッファ・選択器１６
Ａ、１６Ｓによりそれぞれ選択された和信号（Ｌ＋Ｒ）、差信号（Ｌ−Ｒ）と、バッファ
・選択器１６Ｄ１、１６Ｄ２によりそれぞれ選択された差分Δ（Ｌ＋Ｒ）、Δ（Ｌ−Ｒ）
の各予測残差の最小値に基づいて、
ＰＣＭデータとＤＰＣＭデータのどちらが圧縮率が高いか否かを判断し、高い方のデータ
を選択する。このとき、そのＰＣＭ／ＤＰＣＭの選択フラグ（予測回路選択フラグ）を追
加して多重化する。
【００２３】
ここで、図７に示す和信号（Ｌ＋Ｒ）の予測回路１５Ａと差分Δ（Ｌ＋Ｒ）の予測回路
１５Ｄ１が同一の構成であり、また、差信号（Ｌ−Ｒ）の予測回路１５Ｓと差分Δ（Ｌ−
Ｒ）の予測回路１５Ｄ２が同一の構成である場合、復号装置では図８に示すようにＰＣＭ
データとＤＰＣＭデータの両方の予測回路を設ける必要はなく、１つのデータ分の予測回
路でよい。そして、符号化装置から伝送された予測回路選択フラグに基づいてセレクタ２
６ａ、２６ｂにより、ＤＰＣＭデータの場合には累積演算回路２５ａ、２５ｂの出力を選
択し、ＰＣＭデータの場合には加算回路２３ａ、２３ｂの出力を選択する。
【００２４】
第３の実施形態では図９に示すように、原信号Ｌ、Ｒ（ＰＣＭデータ）と、和信号（Ｌ
＋Ｒ）、差信号（Ｌ−Ｒ）（ＰＣＭデータ）と、その各差分Δ（Ｌ＋Ｒ）、Δ（Ｌ−Ｒ）
（ＤＰＣＭデータ）の３グループの１つを選択的に予測符号化するように構成されている
。
【００２５】
このため図９に示す符号化装置では、図７に示す構成に対して原信号Ｌ、Ｒをそれぞれ
予測符号化するための予測回路１５Ｌ、１５Ｒとバッファ・選択器１６Ｌ、１６Ｒが追加
されている。また、選択信号生成器１７はバッファ・選択器１６Ｌ、１６Ｒにより選択さ
れた原信号Ｌ、Ｒと、バッファ・選択器１６Ａ、１６Ｓにより選択された和信号（Ｌ＋Ｒ
）、差信号（Ｌ−Ｒ）と、バッファ・選択器１６Ｄ１、１６Ｄ２により選択された各差分
Δ（Ｌ＋Ｒ）、Δ（Ｌ−Ｒ）の各予測残差の最小値に基づいて圧縮率が高いグループのデ
ータを選択する。このとき、その選択フラグ（予測回路選択フラグ）を追加して多重化す
る。
【００２６】
また、図９に示す３グループの予測回路が同一の構成である場合、復号装置では図１０
に示すように３グループ分の予測回路を設ける必要はなく、１つのグループ分の予測回路
でよい。そして、符号化装置から伝送された予測回路選択フラグに基づいて、ＤＰＣＭデ
ータの場合には累積演算回路２５ａ、２５ｂの出力を選択し、ＰＣＭデータの場合には加
算回路２３ａ、２３ｂの出力を選択してチャネル相関回路Ｂにより原信号Ｌ、Ｒを復元す
る。そして、更にセレクタ２７ａ、２７ｂにより原信号Ｌ、Ｒのグループの場合には加算
回路２３ａ、２３ｂの出力を選択し、他の場合にはチャネル相関回路Ｂの出力を選択する
【００２７】
また、符号化側により予測符号化された可変レートビットストリームデータをネットワ
ークを介して伝送する場合には、符号化側では図１１に示すように伝送用にパケット化し
（ステップＳ４１）、次いでパケットヘッダを付与し（ステップＳ４２）、次いでこのパ
ケットをネットワーク上に送り出す（ステップＳ４３）。復号側では図１２に示すように
ヘッダを除去し（ステップＳ５１）、次いでデータを復元し（ステップＳ５２）、次いで
このデータをメモリに格納して復号を待つ（ステップＳ５３）。
【００２８】
上記第１の実施の形態は２チャネルの場合について説明したが、２以上のマルチチャネ
ルの場合の第２の実施の形態について以下説明する。図１３は、本発明の第２の実施の形
態を示すブロック図である。図１３は、図１の２チャネル用の構成に対して後方の２チャ
ネルＳL、ＳRを加えた４チャネル用として構成され、よって入力側にはチャネル相関回路
Ａに加えて、同様な構成のチャネル相関回路Ａ２が設けられている。また、出力側にもチ
ャネル相関回路Ｂに加えて、同様な構成のチャネル相関回路Ｂ２が設けられている。また
、ロスレス・エンコーダ２Ｄとロスレス・デコーダ３Ｄはマルチチャネル対応型として構
成されている。なお、チャネル相関回路Ａ、Ａ２、Ｂ、Ｂ２は、それぞれＬとＲ、ＳLと
ＳRを組み合わせの対象としている。なお、ロスレス・エンコーダ２Ｄとロスレス・デコ
ーダ３Ｄにおける一連の動作である、差分の算出、予測値の算出、最小予測残差の選択、
最小予測残差を用いた予測値の算出などは、第１の実施の形態と同様に行われる。
【００２９】
次に、第２の実施の形態の変形例としての第３の実施の形態について、そのブロック図
を示す図１４に沿って説明する。図１４は、図１３の４チャネル用の構成に対して更にセ
ンタチャネルＣ及び低音効果チャネルＬFEを加えた合計６チャネル用として構成されてい
る。ただし、センタチャネルＣ、後方の２チャネルＳL、ＳR、及び低周波音効果チャネル
ＬFEはＬとＲのように相関をとることなく、直接ロスレス・エンコーダ２Ｄに入力され、
また直接ロスレス・デコーダ３Ｄから出力される。
【００３０】
次に、第２の実施の形態及び第３の実施の形態の変形例としての第４の実施の形態につ
いて、そのブロック図を示す図１５に沿って説明する。図１５に示すチャネル相関回路Ａ
−１は加算回路１ａと減算回路１ｂを有する。加算回路１ａはステレオ２ch信号Ｌ、Ｒの
和信号（Ｌ＋Ｒ）を算出し、この和信号（Ｌ＋Ｒ）を割り算器５ａにより１／２に割り算
してから、ロスレス・エンコーダ２Ｄに出力し、減算回路１ｂは差信号（Ｌ−Ｒ）を算出
し、この差信号（Ｌ−Ｒ）を割り算器５ｂにより１／２に割り算してから、ロスレス・エ
ンコーダ２Ｄに出力する。
ロスレス・エンコーダ２Ｄは、１／２（Ｌ＋Ｒ）と１／２（Ｌ−Ｒ）を用いてこれらを多
重化して多重化信号２５０を作る。多重化信号２５０はロスレス・デコーダ３Ｄによりデ
コードされて、元の１／２（Ｌ＋Ｒ）と１／２（Ｌ−Ｒ）が得られ、これらが、チャネル
相関回路Ｂ−１を構成する加算回路４ａと減算回路４ｂにそれぞれ与えられ、出力信号と
してステレオ２chのＬ信号とＲ信号が得られる。なお、ロスレス・エンコーダ２Ｄとロス
レス・デコーダ３Ｄにおける一連の動作である、差分の算出、予測値の算出、最小予測残
差の選択、最小予測残差を用いた予測値の算出などは、第１の実施の形態と同様に行われ
る。第４の実施の形態からわかるように、第２、第３の実施の形態におけるチャネル相関
回路Ａ、Ａ２はＬ＋Ｒ及びＬ−Ｒを演算するものに限らず、１／２（Ｌ＋Ｒ）、１／２（
Ｌ−Ｒ）を演算するものに置き換えることができる。この場合、ロスレス・デコーダ３Ｄ
側のチャネル相関回路Ｂ−１では１／２の演算は不要である。
【００３１】
なお、先に図３で説明したフォーマットは１例であって、本発明における信号処理にお
いて記録あるいは伝送される信号のフォーマットは、これに限られるものでない。マルチ
チャネルの場合は、図１３に対応してＬ、Ｒ信号に加えて、後方２チャネルＳL、ＳRも和
信号（ＳL＋ＳR）と差信号（ＳL−ＳR）の形で収納される（図１６のａ）。また、同様に
図１４に対応してＬ、Ｒ信号は和信号と差信号の形で収納され、これに加えて、センター
チャネルＣ、後方２チャネルＳL、ＳR、低周波効果チャネルＬFEは、そのまま、すなわち
和信号や差信号の形をとることなく収納される（図１６のｂ）。
【００３２】
図１７は、図１６に示すようなマルチチャネルの信号を図４のＡパックのユーザデータ
のパケットとするときのフォーマットを示す図である。ビットストリームＢＳ０には、和
信号（Ｌ＋Ｒ）と差信号（Ｌ−Ｒ）が収納され、また他のビットストリームＢＳ１には、
図１６のａに対応する場合は、和信号（ＳL＋ＳR）と差信号の（ＳL−ＳR）が、一方図１
６のｂに対応する場合は、センターチャネルＣ、後方２チャネルＳL、ＳR、低周波効果チ
ャネルＬFEが、そのまま収納される。
【００３３】
図５に示す圧縮ＰＣＭ（ＰＰＣＭ）のオーディオ（Ａ）パケットの図３と異なる態様を
図１８に示す。この異なる態様では、圧縮ＰＣＭ（ＰＰＣＭ）のオーディオ（Ａ）パケッ
トにおけるオーディオデータエリアは、図１８に示すように複数のＰＰＣＭアクセスユニ
ットにより構成され、ＰＰＣＭアクセスユニットはＰＰＣＭシンク情報とサブパケットに
より構成されている。最初のＰＰＣＭアクセスユニット内のサブパケットは、ディレクト
リと、ビットストリームＢＳ０と、ＣＲＣと、ビットストリームＢＳ１と、ＣＲＣとエク
ストラ情報により構成され、ビットストリームＢＳ０，ＢＳ１はＰＰＣＭブロックのみに
より構成されている。２番目以降のＰＰＣＭアクセスユニット内のサブパケットは、ディ
レクトリを除いてビットストリームＢＳ０と、ＣＲＣと、ビットストリームＢＳ１、ＣＲ
Ｃとエクストラ情報により構成され、フレーム先頭のビットストリームＢＳ０及びＢＳ１
はリスタートヘッダとＰＰＣＭブロックにより構成されている。フレーム先頭のＰＰＣＭ
ブロックにフレーム先頭サンプル値を配する。
【００３４】
ＰＰＣＭシンク情報（以下、同期情報ともいう）は次の情報を含む。
・１パケット当たりのサンプル数：サンプリング周波数ｆｓに応じて４０、８０又は６０
が選択される。
・データレート：ＶＢＲの場合には「０」（サブパケット内のデータが圧縮データである
ことを示す識別子）
・サンプリング周波数ｆｓ及び量子化ビット数Ｑｂ
・チャネル割り当て情報
ここで、リスタートヘッダはフレーム毎にチャネル相関回路Ａが加算回路と減算回路で
構成されることを明記した情報を有している。これらのオーディオデータは図１３と図１
４においてデマルチプレクサ２１以下の構成からなるロスレス・デコーダ３Ｄ（図８）に
より元のマルチチャネルオーディオ信号に復号される。図１８に示したフォーマットの可
変レートビットストリームデータは、図１のチャネル相関回路を用いたか、図１５のチャ
ネル相関回路を用いたかを、例えばＰＰＣＭアクセスユニットのリスタートヘッダに格納
した識別子（図示せず）で識別するようにしているので、いずれであってもデコーダは確
実にデコードできる。なお、フレーム毎のロスレス圧縮を例に説明したが、固定の長さに
限らず区間は可変の長さであってもよい。
【図面の簡単な説明】
【００３５】
【図１】本発明が適用される音声符号化装置とそれに対応した音声復号装置の第１の実施形態を示すブロック図である。
【図２】図１のエンコーダを詳しく示すブロック図である。
【図３】図２のマルチプレクサにより多重化される１フレームのフォーマットを示す説明図である。
【図４】ＤＶＤのパックのフォーマットを示す説明図である。
【図５】ＤＶＤのオーディオパックのフォーマットを示す説明図である。
【図６】図１のデコーダを詳しく示すブロック図である。
【図７】第２の実施形態のエンコーダを示すブロック図である。
【図８】第２の実施形態のデコーダを示すブロック図である。
【図９】第３の実施形態のエンコーダを示すブロック図である。
【図１０】第３の実施形態のデコーダを示すブロック図である。
【図１１】音声伝送方法を示すフローチャートである。
【図１２】音声伝送方法を示すフローチャートである。
【図１３】本発明が適用される音声符号化装置とそれに対応した音声復号装置の第２の実施形態を示すブロック図である。
【図１４】本発明が適用される音声符号化装置とそれに対応した音声復号装置の第３の実施形態を示すブロック図である。
【図１５】本発明が適用される音声符号化装置とそれに対応した音声復号装置の第４の実施形態を示すブロック図である。
【図１６】本発明における信号処理において記録あるいは伝送されるマルチチャネル信号のフォーマットの例を示す図である。
【図１７】マルチチャネルの信号を図４のＡパックのユーザデータのパケットとするときのフォーマットを示す図である。
【図１８】図５に示す圧縮ＰＣＭ（ＰＰＣＭ）のオーディオ（Ａ）パケットの図３と異なる態様を示すフォーマット説明図である。
【符号の説明】
【００３６】
１ａ、４ａ  加算回路（加算手段）
１ｂ、４ｂ  減算回路（減算手段）
５ａ、５ｂ  割り算器
１１Ｄ１  差分演算回路（第１の差分演算手段）
１１Ｄ２  差分演算回路（第２の差分演算手段）
１２ａ−１〜１２ａ−ｎ  予測器（減算器１３ａ−１〜１３ａ−ｎ、バッファ
・選択器１６Ｄ１と共に第１の予測符号化手段を構成する。）
１２ｂ−１〜１２ｂ−ｎ  予測器（減算器１３ｂ−１〜１３ｂ−ｎ、バッファ
・選択器１６Ｄ２と共に第２の予測符号化手段を構成する。）
１３ａ−１〜１３ａ−ｎ，１３ｂ−１〜１３ｂ−ｎ  減算器
１６Ｄ１，１６Ｄ２，１６Ａ，１６Ｓ，１６Ｌ，１６Ｒ  バッファ・選択器
１５Ａ  予測回路（バッファ・選択器１６Ａと共に第３の予測符号化手段を構
成する。）
１５Ｓ  予測回路（バッファ・選択器１６Ｓと共に第４の予測符号化手段を構
成する。）
１５Ｌ  予測回路（バッファ・選択器１６Ｌと共に第５の予測符号化手段を構
成する。）
１５Ｒ  予測回路
路（バッファ・選択器１６Ｒと共に第６の予測符号化手段を構成する。）
【図１】
2008217038.tif 000003
【図２】
2008217038.tif 000004
【図３】
2008217038.tif 000005
【図４】
2008217038.tif 000006
【図５】
2008217038.tif 000007
【図６】
2008217038.tif 000008
【図７】
2008217038.tif 000009
【図８】
2008217038.tif 000010
【図９】
2008217038.tif 000011
【図１０】
2008217038.tif 000012
【図１１】
2008217038.tif 000013
【図１２】
2008217038.tif 000014
【図１３】
2008217038.tif 000015
【図１４】
2008217038.tif 000016
【図１５】
2008217038.tif 000017
【図１６】
2008217038.tif 000018
【図１７】
2008217038.tif 000019
【図１８】
2008217038.tif 000020